(57)【要約】【課題】  インキ出し量の精度を安定させ、かつ使い勝手を向上させる。【解決手段】  壷キー支持台３はフレームに植設した第１の支持ピン８に、インキ壷を形成する状態と壷キー支持台３をインキ壷ローラ１から離間させた状態との間を回動自在に支持されている。レバー４１はフレームに植設した第２の支持ピン４０に回動自在に支持され、壷キー支持台３側に設けられた第２のピン５１を介して壷キー支持台３に連結されている。壷キー支持台３側に設けられたボルト４９が第２の支持ピン４０に当接することにより、インキ壷が形成された状態になる。この状態で、壷キー支持台３は皿ばね６２により矢印Ｃ方向に付勢され、壷キー支持台３は皿ばね４７により矢印Ｄ方向に付勢されている。【選択図】  図１
2007237538.tif 000002
【特許請求の範囲】
【請求項１】
軸を中心に揺動自在に支持されインキ壷ローラとともにインキ壷を構成する壷本体と、この壷本体に設けられた支軸を介して前記壷本体を揺動させる操作部材と、前記壷本体の揺動を規制しインキ壷を印刷可能位置に位置付ける揺動規制手段と、この揺動規制手段によって揺動が規制された状態で壷本体を軸を中心にインキ壷ローラがメンテナンス可能位置方向へ付勢する第１の付勢手段と、前記第１の付勢手段によって前記壷本体を一方向に付勢した状態で、かつ前記揺動規制手段によって壷本体の揺動が規制された状態で前記操作部材を保持する保持手段とを備えたことを特徴とする印刷機のインキ壷装置。
【請求項２】
前記保持手段は、前記操作部材を揺動自在に支持しフレームに設けられた枢軸と、この枢軸を挟んで前記支軸と反対側で前記操作部材に設けられた揺動部材と、この揺動部材を前記枢軸から離間させる方向に付勢する第２の付勢手段とによって構成され、前記揺動規制手段は、前記枢軸とこの枢軸に当接するストッパ部材とによって構成され、前記第２の付勢手段によって、前記操作部材を前記支軸を回動中心として死点越えした位置を保持することを特徴とする請求項１記載の印刷機のインキ壷装置。
【請求項３】
一端部が前記枢軸によって回動自在に支持され他端部が前記揺動部材を介して前記操作部材に連結されたシャフト部材を備え、前記第２の付勢手段を、前記シャフト部材に巻回され前記揺動部材を前記枢軸と反対方向に付勢するとともに前記シャフト部材を前記枢軸側に付勢するばねとし、前記揺動規制手段によって壷本体の揺動が規制されることにより前記揺動部材の回動中心を前記枢軸から前記支軸に切り替え、前記ばねの弾発力によって死点越えした前記操作部材を保持することを特徴とする請求項２記載の印刷機のインキ壷装置。
【発明の詳細な説明】
【技術分野】
【０００１】
本発明は、インキ壷ローラに対して壷本体を接近・離間させるための操作部を備えた印刷機のインキ壷装置に関するものである。
【背景技術】
【０００２】
従来の印刷機のインキ壷装置は、左右の機台フレーム間に回動自在に支持されたブレード台と、このブレード台のＵ字溝に係合し固定ブラケットに螺合する操作部と、この操作部と反対方向から固定ブラケットに螺合され先端がブレード台の裏面に当接したボルトとを備えたものがある。この印刷機のインキ壷装置においては、インキ壷の洗浄が終了し、一旦インキ壷ローラから離間させた壷本体を接近させるときは、壷キーをインキ壷ローラの周面に近接させるようにブレード台を回動させ、操作部を締めることによりブレード台を固定するようにしている（例えば、特許文献１参照）。
【特許文献１】実公平２−３４０３５号公報（明細書２頁右欄８〜２２行、第１図および第２図）
【発明の開示】
【発明が解決しようとする課題】
【０００３】
上述した従来の印刷機のインキ壷装置においては、ブレード台の両側部に設けた軸受孔に、機台フレームに植設した支軸を係入することにより、ブレード台を回動自在に支持する構造としている。このため、軸受孔と支軸との間には当然のことながら回動に要するクリアランスが設けられているから、インキ壷ローラに対して壷本体を接近・離間させるたびにインキ壷ローラの周面と壷キーとの間の隙間が変動してしまい、インキ出し量の精度が安定しないといった問題があった。また、操作部の締め付け量が作業者によって異なるために、ブレード台の固定位置にばらつきが生じて、ブレード台を固定するたびにインキ壷ローラの周面と壷キーとの間の隙間が変動してしまい、インキ出し量の精度が安定しないといった問題があった。また、インキ壷ローラに対して壷本体を接近・離間させるために、操作部を回転させる煩雑な操作の他にブレード台を回動させる操作が必要になるため、使い勝手が悪いという問題があった。
【０００４】
本発明は上記した従来の問題に鑑みなされたものであり、その目的とするところは、インキ出し量の精度を安定させ、かつ使い勝手を向上させた印刷機のインキ壷装置を提供するところにある。
【課題を解決するための手段】
【０００５】
この目的を達成するために、請求項１に係る発明は、軸を中心に揺動自在に支持されインキ壷ローラとともにインキ壷を構成する壷本体と、この壷本体に設けられた支軸を介して前記壷本体を揺動させる操作部材と、前記壷本体の揺動を規制しインキ壷を印刷可能位置に位置付ける揺動規制手段と、この揺動規制手段によって揺動が規制された状態で壷本体を軸を中心にインキ壷ローラがメンテナンス可能位置方向へ付勢する第１の付勢手段と、前記第１の付勢手段によって前記壷本体を一方向に付勢した状態で、かつ前記揺動規制手段によって壷本体の揺動が規制された状態で前記操作部材を保持する保持手段とを備えたものである。
【０００６】
請求項２に係る発明は、請求項１に係る発明において、前記保持手段は、前記操作部材を揺動自在に支持しフレームに設けられた枢軸と、この枢軸を挟んで前記支軸と反対側で前記操作部材に設けられた揺動部材と、この揺動部材を前記枢軸から離間させる方向に付勢する第２の付勢手段とによって構成され、前記揺動規制手段は、前記枢軸とこの枢軸に当接するストッパ部材とによって構成され、前記第２の付勢手段によって、前記操作部材を前記支軸を回動中心として死点越えした位置を保持する。
【０００７】
請求項３に係る発明は、請求項２に係る発明において、一端部が前記枢軸によって回動自在に支持され他端部が前記揺動部材を介して前記操作部材に連結されたシャフト部材を備え、前記第２の付勢手段を、前記シャフト部材に巻回され前記揺動部材を前記枢軸と反対方向に付勢するとともに前記シャフト部材を前記枢軸側に付勢するばねとし、前記揺動規制手段によって壷本体の揺動が規制されることにより前記揺動部材の回動中心を前記枢軸から前記支軸に切り替え、前記ばねの弾発力によって死点越えした前記操作部材を保持する。
【発明の効果】
【０００８】
本発明によれば、揺動規制手段によって揺動が規制されインキ壷ローラに対して壷本体を接近させたとき、操作部材を一方向に付勢する第２の付勢手段によって壷本体に設けられた支軸が常に同じ位置に位置付けられるとともに、第１の付勢手段によって、壷本体と壷本体を揺動自在に支持する支持手段との間にクリアランスが発生するようなことがない。したがって、これら支軸と支持手段とによって支持されている壷本体が、インキ壷ローラに接近したとき、常に同じ位置に位置付けられることになる。このため、インキ壷ローラに対して壷本体を接近・離間させるたびにインキ壷ローラの周面とインキ壷キーとの間の隙間が変動するようなことがないから、インキ出し量の精度が安定する。
【０００９】
請求項２に係る発明によれば、インキ壷ローラに対して壷本体を接近・離間させる操作と、インキ壷ローラに対して壷本体を接近させた状態の保持操作とを操作部材の一連の回動操作のみによって行うことができるため使い勝手が向上する。
【発明を実施するための最良の形態】
【００１０】
以下、本発明の実施の形態を図に基づいて説明する。図１は本発明に係る印刷機のインキ壷装置の側面図、図２は同じく一部を示す平面図、図３は同じく一部を示す背面図、図４は同じく側断面図、図５は同じく要部を示す断面図、図６は同じく要部を拡大して示す断面図、図７は同じく壷キー開閉用ねじ棒の駆動部を示す断面図、図８は同じく要部を拡大して示す断面図、図９は同じくインキ壷ローラに対して壷本体を接近・離間させる動作を説明するためのモデル図であって、同図（Ａ）はインキ壷ローラに対して壷本体を接近した状態から離間させる動作を示し、同図（Ｂ）はインキ壷ローラに対して壷本体を接近させる動作を示し、図１０は同じく要部を拡大して示す側面図である。
【００１１】
図１ないし図４に符号１で示すインキ壷ローラは、左右の機台フレーム２，２（一方の機台フレーム２は図示を省略）間に軸架されており、運転中は図１中反時計方向（矢印Ａ方向）に回転する。３はインキ壷ローラ１の後方に設けられた壷本体としての壷キー支持台であって、インキ壷ローラ１の胴長よりもやや長く形成されており、図３に示すように両端面からステー４，４（一方のステー４は図示を省略）が一体に突設されている。このステー４には非貫通孔状に形成された軸受孔５を有する筒体６が一体に設けられている。７は後述するボルト５９の頭部６３に係合する係合片であって、筒体６の下側周面に一体に突設されている。８は機台フレーム２，２に植設された軸としての第１の支持ピンであって、この第１の支持ピン８は軸受孔５に係入されており、壷キー支持台３はこの第１の支持ピン８を回動中心として図１中時計・反時計方向（矢印Ｂ−Ｃ方向）に回動可能に構成されている。ここで、壷キー支持台３を機台フレーム２に揺動自在に支持するということは、ここでの実施の形態で示すように、壷キー支持台３を機台フレームに第１の支持ピン８を介して間接的に揺動自在に支持する状態も含むことを意味する。
【００１２】
図４において、１０は壷キー支持台３の前端側の上端部に設けた溝１１に、インキ壷ローラ１の軸線方向に延在するように取り付けられた保持バーであって、インキ壷ローラ１の胴長と略同じ長さに形成されている。この保持バー１０には、図５に示すように大径孔１２とこれと連通する小径孔１３とが前後方向に貫通するように形成されており、これら大径孔１２と小径孔１３とは、後述する複数のインキ壷キー１６に対応してインキ壷ローラ１の軸線方向に複数対設けられている。また、この保持バー１０の前端側の上部には、図６に示すように、後述する支点ピン１５の第２の摺接面１５ｂが摺接する断面円弧状の第２の凹溝１４が形成されている。
【００１３】
支点ピン１５は細長い略円柱状で、保持バー１０と同じ長さに形成されており、上端に平坦面１５ｃが設けられている。図４において、１６は角柱状に形成されたインキ壷キーであって、インキ壷ローラ１の周面に近接するようにインキ壷ローラ１の軸線方向に複数設けられており、これら複数のインキ壷キー１６の全体の幅方向の長さは、インキ壷ローラ１の胴長と同じ長さに形成されている。このインキ壷キー１６には、図５に示すように、上記した保持バー１０の小径孔１３と同じ径に形成された貫通孔１７が設けられており、この貫通孔１７の一方の開口縁には、図８に示すように略半球状に形成された凹部１７ａが設けられている。また、このインキ壷キー１６の上部の後端面には、図６に示すように、支点ピン１５の第１の摺接面１５ａと摺接する断面円弧状の第１の凹溝１８が形成されている。
【００１４】
図５において、２０は保持バー１０の小径孔１３とインキ壷キー１６の貫通孔１７とに遊挿された壷キー開き用ピンであって、一端部に頭部２０ａが設けられ、図８に示すように他端部にインキ壷キー１６の凹部１７ａに係合する略半球状に形成された膨出部２０ｂが設けられている。２１は壷キー開き用ピン２０の頭部２０ａと、保持バー１０の大径部１２の底部１２ａとの間に圧縮状態で介装された皿ばねである。この皿ばね２１の弾発力によって、インキ壷キー１６は、第１の凹溝１８が摺接する支点ピン１５の第１の摺接面１５ａを揺動支点として揺動自在となるように、インキ壷キー１６の上端部が支点ピン１５を介して保持バー１０に弾持される。すなわち、皿ばね２１の弾発力は、インキ壷キー１６を支点ピン１５に押し付けるように付勢している。同時に、壷キー開き用ピン２０は、皿ばね２１の弾発力によって、インキ壷キー１６をインキ壷ローラ１の周面から離間させる方向、すなわち支点ピン１５を回動中心としてインキ壷キー１６を図中時計方向に付勢している。
【００１５】
図４において、２２は壷キー支持台３の上面に固定され、インキ壷キー１６の上面と共にインキ壷の底面を形成する底板であって、図５および図６に示すように一端側が保持バー１０の全体と支点ピン１５の平坦部１５ｃの大部分を覆っている。
【００１６】
図１および図２において、２３はインキ壷キー１６の両端に設けられ（一方は図示を省略）、保持バー１０に取り付けられた固定壷キーである。２４は側面視で三角形に形成されたインキせきであって、壷キー支持台３の幅方向の両端部に互いに対向するように（一方のインキせき２４は図示を省略）立設されている。このインキせき２４，２４と底板２２、インキ壷キー１６、固定壷キー２３およびインキ壷ローラ１の周面とで囲まれて形成されたインキ壷２５内には図４に示すようにインキ２６が蓄えられている。
【００１７】
壷キー支持台３の下部には、図３および図４に示すように背面側に開口を有する凹部２７が壷キー支持台３の両端部間に延在するように設けられている。この凹部２７と連通され壷キー支持台３の前端部を貫通する貫通孔２８が上記した複数のインキ壷キー１６と対応して複数設けられている。図４において、２９は凹部２７に収納され複数のインキ壷キー１６と対応して複数設けられたモータであって、凹部２７の開口縁に取り付けられた支持板３０に支持されている。
【００１８】
このモータ２９の出力軸には、図７に示すようにモータギア３１が軸着されており、このモータギア３１には伝達ギア３２が噛合している。３３は支持板３０に取り付けられたねじ棒支持ブロックであって、中央部にねじ孔３３ａが設けられている。３４はインキ壷キー１６に対応して設けられた複数の壷キー開閉用ねじ棒であって、中央部に設けたねじ部３４ａがねじ棒支持ブロック３３のねじ部３３ａに螺合している。この壷キー開閉用ねじ棒３４の支持板３０から突出した一端部には、伝達ギア３２に噛合するギア３５が軸着されている。また、この壷キー開閉用ねじ棒３４の他端部には押圧子３６が設けられており、この押圧子３６は、図４に示すように壷キー支持台３の貫通孔２８に嵌挿され、先端がインキ壷キー１６の下端部に当接している。
【００１９】
このような構成において、モータ２９を一方向に駆動することにより、モータ２９の出力軸の回転がモータギア３１から伝達ギア３２を介してギア３５に伝達され、ギア３５が図３において時計方向に回転する。このギア３５の時計方向の回転によって、ねじ棒支持ブロック３３のねじ孔３３ａにねじ部３４ａが螺合している壷キー開閉用ねじ棒３４が、図４中矢印Ｄ方向に移動するため、押圧子３６が貫通孔２８から前進する。この押圧子３６の前進によって、インキ壷キー１６が支点ピン１５を揺動支点として図５中実線で示すように皿ばね２１の弾発力に抗して反時計方向に揺動するため、インキ壷ローラ１の周面とインキ壷キー１６の角部１６ａとの間の隙間ｔが、図８に実線で示すように狭くなり、インキ壷２５からのインキ出し量が少なくなるように調整される。
【００２０】
一方、モータ２９を一方向と反対方向の他方向に駆動することにより、モータ２９の出力軸の回転がモータギア３１から伝達ギア３２を介してギア３５に伝達され、ギア３５が図３において反時計方向に回転する。このギア３５の反時計方向の回転によって、ねじ棒支持ブロック３３のねじ孔３３ａにねじ部３４ａが螺合している壷キー開閉用ねじ棒３４が、図４中矢印Ｅ方向に移動するため、押圧子３６が貫通孔２８内に後退する。この押圧子３６の後退によって、インキ壷キー１６が支点ピン１５を揺動支点として図５中二点鎖線で示すように皿ばね２１の弾発力によって時計方向に揺動するため、インキ壷ローラ１の周面とインキ壷キー１６の角部１６ａとの間の隙間ｔが、図８に二点鎖線で示すように拡がり、インキ壷２５からのインキ出し量が多くなるように調整される。
【００２１】
図１および図２において、４０，４０は左右の機台フレーム２，２に植設された枢軸としての第２の支持ピン（一方の第２の支持ピン４０は図示せず）であって、先端部に小径部４０ａが設けられている。４１は下方が開口した断面コ字状に形成されたレバーであって、両側部４１ａ，４１ａのそれぞれの一端部に設けた孔４１ｂ，４１ｂには、揺動部材としての第１のピン４３の両端部が嵌挿されている。この第１のピン４３の中央部には、図１０に示すように半径方向を貫通する挿通孔４３ａが設けられており、この挿通孔４３ａの開口端縁には平坦部４３ｂ，４３ｃが形成されている。４４は第１のピン４３の挿通孔４３ａに挿通されたシャフト部材としてのボルトであって、挿通孔４３ａから突出した一端部にはダブルナット４５が螺合されている。
【００２２】
また、このボルト４４の他端部には偏平な直方体に形成された軸受部４４ａが一体に設けられており、この軸受部４４ａに形成された孔４４ｂには上記した第２の支持ピン４０の小径部４０ａが係入されている。したがって、レバー４１の第２のピン５１側は上記した第１の支持ピン８を回動中心としては図１中時計・反時計方向に回動し、レバー４１の第１のピン４３側は第２の支持ピン４０の小径部４０ａを回動中心として図１中時計・反時計方向に回動自在に支持されている。すなわち、レバー４１は第１の支持ピン８が植設された機台フレーム２側と第１の支持ピン８の周りを回動する壷キー支持台３側とに支持されている。ボルト４４の他端側にはダブルナット４６が螺合されており、このダブルナット４６と第１のピン４３の平坦部４３ｂとの間には、図１０に示すように、座金４６ａ，４６ｂを介して複数枚からなる第２の付勢手段としての皿ばね４７が介装されている。
【００２３】
図１および図２において、４８はステー４に取り付けられた支持ブロックであって、この支持ブロック４８のねじ孔にはストッパとして機能するボルト４９が螺合されており、その先端は第２の支持ピン４０の周面に選択的に当接する。このボルト４９の先端が第２の支持ピン４０の周面に当接することにより、壷キー支持台３の揺動が規制されてインキ壷２５が形成された状態に位置付けられる。したがって、これらボルト４９と第２の支持ピン４０とが揺動規制手段５０を形成している。５１は支持ブロック４８の孔に嵌合固定された支軸としての第２のピンであって、この第２のピン５１の支持ブロック４８から突出した両端部は、レバー４１の両側部４１ａ，４１ａの孔４１ｃ，４１ｃに嵌挿されている。したがって、操作部４２を図１中矢印Ｈ方向に操作することにより、レバー４１に支持された第１のピン４３（ボルト４４）は、図９（Ａ）において、後述するように最初第２のピン５１を回動中心としてα′だけ回動する。次いで第２の支持ピン４０の小径部４０ａを回動中心として角度αだけ反時計方向に回動すると同時に、支持ブロック４８を介して壷キー支持台３に支持された第２のピン５１が、第１の支持ピン８を回動中心として角度βだけ反時計方向（矢印Ｃ方向）に回動する。したがって、壷キー支持台３も図１中二点鎖線で示すように角度βだけ反時計方向（矢印Ｃ方向）に回動し、壷キー支持台３がインキ壷ローラ１から離間し、メンテナンス可能位置に位置付けられる。
【００２４】
一方、壷キー支持台３をインキ壷ローラ１から離間させたメンテナンス可能位置に位置付けられた状態から、壷キー支持台３をインキ壷ローラ１に接近させ印刷可能位置に位置付けるには、図１中二点鎖線で示した操作部４２を矢印Ｇ方向に回動操作する。この操作部４２の回動操作作によって、第１のピン４３が第２の支持ピン４０の小径部４０ａを回動中心として角度αだけ時計方向に回動する。同時に、支持ブロック４８を介して壷キー支持台３に支持された第２のピン５１が、第１の支持ピン８を回動中心として角度βだけ時計方向に回動し、壷キー支持台３も図１中実線で示すように角度βだけ時計方向に回動しインキ壷ローラ１に接近し、印刷可能位置に位置付けられ、ボルト４９の先端が第２の支持ピン４０の周面に当接する。ボルト４９の先端が第２の支持ピン４０の周面に当接すると、第１のピン４３は第２のピン５１を回動中心としてα′だけ時計方向に回動できるように構成されている。
【００２５】
図３において、５５，５５は機台フレーム２，２に螺合されたボルト（一方のボルト５５は図示せず）であって、機台フレーム２に取り付けられた台座５６に支持されており、頭部には挿通孔５７を有し角柱状に形成されたばね受け５８が設けられている。このばね受け５８の挿通孔５７には、ボルト５９が挿通され、このボルト５９の両端側にダブルナット６０，６１が螺合しており、一方のダブルナット６１とばね受け５８との間には、複数枚からなる第１の付勢手段としての皿ばね６２が圧縮状態で介装されている。ボルト５９の頭部６３は、上記した壷キー支持台３のステー４に突設された係合片７に選択的に当接する。
【００２６】
次に、このように構成された印刷機のインキ壷装置において、図１において二点鎖線で示す壷キー支持台３がインキ壷ローラ１から離間したメンテナンス可能位置に位置付けられている状態から実線で示す印刷可能位置に移動させる操作について説明する。先ず、図１において、二点鎖線で示す位置に位置している操作部４２を矢印Ｇ方向に回動操作することによって、壷キー支持台３を第１の支持ピン８を回動中心として時計方向に回動させる。インキ壷キー１６がインキ壷ローラ１の周面に接近すると、壷キー支持台３の係合片７がボルト５９の頭部６３に当接する。さらに、壷キー支持台３を時計方向にわずかに回動させることにより、皿ばね６２の弾発力によって壷キー支持台３が第１の支持ピン８を回動中心として反時計方向に付勢される。同時に、ボルト４９の先端が第２の支持ピン４０の周面に当接する。この状態で、壷キー支持台３がインキ壷ローラ１に接近する状態となるように、予め支持ブロック４８のねじ孔に螺合されているボルト４９の螺合量が調整されている。
【００２７】
したがって、操作部４２を矢印Ｇ方向に回動操作することにより、この回動操作に抗するように皿ばね６２の弾発力Ｆ１（図９（Ｂ）参照）によって、壷キー支持台３が第１の支持ピン８を回動中心として一定方向、すなわち反時計方向に付勢される。
【００２８】
この状態で、さらに操作部４２を矢印Ｇ方向にわずかに回動操作すると、第２の支持ピン４０の周面にボルト４９の先端が当接し、第２のピン５１の移動が規制されているため、第２の支持ピン４０の小径部４０ａを回動支点として回動していた第１のピン４３が第２のピン５１を回動中心として回動するように切り替わる。したがって、第１のピン４３が図９（Ａ）に示すように角度α′だけ回動するとき、第１のピン４３の回動軌跡が替わり、第２のピン５１と第２の支持ピン４０の小径部４０ａと第１のピン４３とが一直線状に位置付けられる。このとき、第１のピン４３と小径部４０ａとの間隔よりも、第１のピン４３と第２のピン５１との間隔の方が長く、かつ小径部４０ａが第１のピン４３と第２のピン５１との間に位置しているため、第１のピン４３の回動軌跡が替わることにより、この第１のピン４３の角度α′の回動時に、図１０に示すように第１のピン４３が矢印Ｅ方向にわずかに移動する。この移動により、第１のピン４３の平坦部４３ｂが皿ばね４６ｂを矢印Ｅ方向に押圧するため、皿ばね４７がさらに圧縮された状態になる。したがって、第１のピン４３が角度αの範囲で回動しているときには、他方の平坦部４３ｃと座金４６ｃとの間に隙間が発生しないが、皿ばね４７がさらに圧縮されることにより、他方の平坦部４３ｃと座金４６ｃとの間に隙間δが形成される。
【００２９】
このとき、レバー４１の両側部４１ａ，４１ａの下面４１ｄ，４１ｄが第２の支持ピン４０の周面に当接し、これら下面４１ｄ，４１ｄがレバー４１の時計方向への回動を規制するストッパとして機能するから、皿ばね４７の弾発力によって、第２のピン５１と第２の支持ピン４０の小径部４０ａと第１のピン４３とが略一直線状に位置付けられる状態が保持される。すなわち、第１のピン４３は、図９（Ｂ）に示すように、第２のピン５１と第２の支持ピン４０の小径部４０ａと第１のピン４３とを結ぶ線Ｋを、いわゆる死点越えして二点鎖線で示す位置に位置付けられ、この状態は皿ばね４７の付勢力Ｆ２によって保持される。
【００３０】
この状態で、壷キー支持台３が皿ばね６２の弾発力によって一定方向に付勢されていることにより、第１の支持ピン８と軸受孔５とは常に同じＰ点において対接し、かつ壷キー支持台３の軸受孔５は第１の支持ピン８にクリアランスのない状態で支持されている。また、上述したように皿ばね４７が圧縮された状態となっていることにより、第１のピン４３が図１０中矢印Ｄ方向に付勢されるため、第１のピン４３が孔４１ｂにＱ点において対接し、第１のピン４３は孔４１ｂにクリアランスのない状態で支持されている。
【００３１】
さらに、皿ばね４７の弾発力によってボルト４４が矢印Ｅ方向に付勢されているため、ボルト４４の孔４４ｂが第２の支持ピン４０の小径部４０ａとＲ点において対接しており、小径部４０ａは孔４４ｂにクリアランスのない状態で支持されている。また、第１のピン４３が皿ばね４７の弾発力によって矢印Ｄ方向に付勢されているため、レバー４１も矢印Ｄ方向に付勢されている。したがって、第２のピン５１とレバー４１の孔４１ｃとはＳ点において対接しており、第２のピン５１は孔４１ｃにクリアランスのない状態で支持されている。
【００３２】
このため、ボルト４９の先端を第２の支持ピン４０の周面に当接させてインキ壷２５を形成するとき、常に第２のピン５１が同じ位置に位置付けられるとともに、上述したように、キー支持台３の軸受孔５が常に同じ対接点Ｐにおいて第１の支持ピン８にクリアランスのない状態で支持されている。したがって、これら第２の支持ピン４０と第１の支持ピン８とによって支持されているキー支持台３は、インキ壷２５を形成したとき、常に同じ位置に位置付けられることになる。すなわち、壷キー支持台３をインキ壷ローラ１に対して接近・離間させるたびにインキ壷ローラ１の周面とインキ壷キー１６との間の隙間が変動するようなことがないから、インキ出し量の精度が安定する。また、壷キー支持台３のインキ壷ローラ１に対する接近・離間操作とインキ壷２５を形成した状態の保持操作とを操作部４２の一連の回動操作のみによって行うことができるため使い勝手が向上する。
【図面の簡単な説明】
【００３３】
【図１】本発明に係る印刷機のインキ壷装置の側面図である。
【図２】本発明に係る印刷機のインキ壷装置の一部を示す平面図である。
【図３】本発明に係る印刷機のインキ壷装置の一部を示す背面図である。
【図４】本発明に係る印刷機のインキ壷装置の側断面図である。
【図５】本発明に係る印刷機のインキ壷装置の要部を示す断面図である。
【図６】本発明に係る印刷機のインキ壷装置の要部を拡大して示す断面図である。
【図７】本発明に係る印刷機のインキ壷装置において、壷キー開閉用ねじ棒の駆動部を示す断面図である。
【図８】本発明に係る印刷機のインキ壷装置の要部を拡大して示す断面図である。
【図９】本発明に係る印刷機のインキ壷装置において、インキ壷ローラの開閉動作を説明するためのモデル図であって、同図（Ａ）は閉じた状態から開く動作を示し、同図（Ｂ）は閉じる動作を示す。
【図１０】本発明に係る印刷機のインキ壷装置の要部を拡大して示す側面図である。
【符号の説明】
【００３４】
１…インキ壷ローラ、３…壷キー支持台、１６…インキ壷キー、２５…インキ壷、２６…インキ、４０ａ…小径部（枢軸）、４１…レバー、４３…第１のピン（揺動部材）、４７…皿ばね（第２の付勢手段）、４９…ボルト（ストッパ部材）、５０…揺動規制手段、６２…皿ばね（第１の付勢手段）。
【図１】
2007237538.tif 000003
【図２】
2007237538.tif 000004
【図３】
2007237538.tif 000005
【図４】
2007237538.tif 000006
【図５】
2007237538.tif 000007
【図６】
2007237538.tif 000008
【図７】
2007237538.tif 000009
【図８】
2007237538.tif 000010
【図９】
2007237538.tif 000011
【図１０】
2007237538.tif 000012